(57)【要約】      （修正有）【課題】携帯電話の充電池への充電以外にも蓄電部に蓄えた電気を利用する。【解決手段】手のひらサイズのボディ１００と、ボディ１００に設けられたソーラーパネル５と、ソーラーパネル５で発電された電気を蓄える蓄電部と、蓄電部から電力を出力するための充電出力端子と、その充電出力端子を被う着脱可能Uなパワーキャップ（電気的動作機器）２１０と、を備え、そのパワーキャップ２１０は、ボディ１００から給電される電気的機能部と、蓄電部の電気を電気的機能部に給電するためにボディ側の給電部と着脱可能に接続される動作入力端子とを備え、パワーキャップ２１０がボディ１００からの充電出力端子２を覆うように該ボディに装着された状態で、そのパワーキャップ２１０の動作入力端子と前記ボディ側の給電部とが電気的に接続された状態となってパワーキャップ側の電気的機能部が動作可能状態になる。【選択図】図８
2006204079.tif 000002
【特許請求の範囲】
【請求項１】
手のひらサイズの携帯可能なボディと、
該ボディに内蔵された電源部と、
該ボディに設けられて前記電源部から電気を出力するためのボディ側の給電部と、
このボディ側の給電部に着脱可能に接続される動作入力端子と、この動作入力端子によって前記電源部から給電されて機能する電気的機能部とを備え、前記ボディに対して着脱可能な電気的動作機器と、を備え、
前記電気的動作機器は機能の異なる複数種が用意され、それらのうちのいずれかの電気的動作機器を選択して前記ボディに装着することにより、互いに異なる前記電気的機能部の動作を行わせるとともに、
前記電気的動作機器の動作入力端子と前記ボディ側の給電部とが電気的に接続された状態となるように、前記電気的動作機器の一つが前記ボディに装着されることで、その電気的動作機器側の前記電気的機能部が動作可能状態になることを特徴とする携帯型着脱式マルチ動作機器。
【請求項２】
手のひらサイズの携帯可能なボディと、
該ボディに内蔵された電源部と、
該ボディに設けられて前記電源部から電気を出力するためのボディ側の給電部と、
このボディ側の給電部に着脱可能に接続される動作入力端子と、この動作入力端子によって前記電源部から給電されて機能する電気的機能部とを備え、前記ボディに対して着脱可能な電気的動作機器と、を備え、
前記電源部は、一次電池で構成されており、前記ボディにはこの一次電池の着脱機構が備えられ、
前記電気的動作機器の動作入力端子と前記ボディ側の給電部とが電気的に接続された状態となるように、前記電気的動作機器が前記ボディに装着されることで、その電気的動作機器側の前記電気的機能部が動作可能状態になることを特徴とする携帯型着脱式マルチ動作機器。
【請求項３】
手のひらサイズの携帯可能なボディと、
該ボディに内蔵された電源部と、
該ボディに設けられて前記電源部から電気を出力するためのボディ側の給電部と、
このボディ側の給電部に着脱可能に接続される動作入力端子と、この動作入力端子によって前記電源部から給電されて機能する電気的機能部とを備え、前記ボディに対して着脱可能な電気的動作機器と、を備え、
前記電源部は、蓄電可能な蓄電部を有して構成され、
前記電気的動作機器の動作入力端子と前記ボディ側の給電部とが電気的に接続された状態となるように、前記電気的動作機器が前記ボディに装着されることで、その電気的動作機器側の前記電気的機能部が動作可能状態になることを特徴とする携帯型着脱式マルチ動作機器。
【請求項４】
手のひらサイズの携帯可能なボディと、
該ボディに内蔵された電源部と、
該ボディに設けられて前記電源部から電気を出力するためのボディ側の給電部と、
このボディ側の給電部に着脱可能に接続される動作入力端子と、この動作入力端子によって前記電源部から給電されて機能する電気的機能部とを備え、前記ボディに対して着脱可能な電気的動作機器と、を備え、
前記電源部は、前記ボディに設けられた発電用ソーラーパネルと、この発電用ソーラーパネルで発電された電気を蓄える蓄電部とによって構成され、
前記電気的動作機器の動作入力端子と前記ボディ側の給電部とが電気的に接続された状態となるように、前記電気的動作機器が前記ボディに装着されることで、その電気的動作機器側の前記電気的機能部が動作可能状態になることを特徴とする携帯型着脱式マルチ動作機器。
【請求項５】
手のひらサイズの携帯可能なボディと、
該ボディに内蔵された電源部と、
該ボディに設けられて前記電源部から電気を出力するためのボディ側の給電部と、
このボディ側の給電部に着脱可能に接続される動作入力端子と、この動作入力端子によって前記電源部から給電されて機能する電気的機能部とを備え、前記ボディに対して着脱可能な電気的動作機器と、を備え、
前記ボディは、外部直流電源又は外部交流電源に対して電気的に接続可能な電源入力部を備え、前記電源部は、その電源入力部から給電される電気を直接、もしくは前記前記ボディ側の給電部の適正電源に変換して前記ボディ側の給電部に給電しており、
前記電気的動作機器の動作入力端子と前記ボディ側の給電部とが電気的に接続された状態となるように、前記電気的動作機器が前記ボディに装着されることで、その電気的動作機器側の前記電気的機能部が動作可能状態になることを特徴とする携帯型着脱式マルチ動作機器。
【請求項６】
前記ボディは、外部直流電源又は外部交流電源に対して電気的に接続可能な電源入力部を備え、前記電源部は、その電源入力部から給電される電気を直接、もしくは前記前記ボディ側の給電部の適正電源に変換して前記ボディ側の給電部に給電する請求項２に記載の携帯型着脱式マルチ動作機器。
【請求項７】
前記ボディは、外部直流電源又は外部交流電源に対して電気的に接続可能な電源入力部を備え、その外部直流電源または外部交流電源とによって前記蓄電部の蓄電、並びに前記電気的機能部への通電が可能となっている請求項３又は４に記載の携帯型着脱式マルチ動作機器。
【請求項８】
前記電源入力部は、前記外部交流電源と接続する交流電源入力部と前記外部直流電源と接続する直流電源入力部との双方を、同一の入力端子として備える請求項５ないし７のいずれか１項に記載の携帯型着脱式マルチ動作機器。
【請求項９】
外部交流電源と接続可能な外部電源接続部と前記電源入力部と接続可能な電源出力部とを備える交流用アダプタを備える請求項５ないし８のいずれか１項に記載の携帯型着脱式マルチ動作機器。
【請求項１０】
前記ボディは、前記蓄電部の残量表示部と、その残量表示部を表示させるための電気回路部とを備えるものである請求項３，４，７のいずれか１項に記載の携帯型着脱式マルチ動作機器。
【請求項１１】
前記電気的動作機器は、前記ボディへの装着状態において前記ボディ側の給電部から前記動作入力端子を経て前記電気的機能部に至る電気回路の通電・非通電を切り換えるスイッチを備える請求項１ないし１０のいずれか１項に記載の携帯型着脱式マルチ動作機器。
【請求項１２】
前記電気的機能部は、一方の側に前記動作入力端子を備え、他方の側に携帯電話機の充電端子部に着脱可能に接続される電話機側端子が設けられた携帯電話機用コネクタ部として形成され、
前記携帯電話機の充電池が消耗したときには、その電気的動作機器を取り付け、前記ボディ側端子をその携帯電話機用コネクタ部を介して前記携帯電話機に接続して、前記電源部からの給電によって前記充電池を充電する請求項１ないし１１のいずれか１項に記載の携帯型着脱式マルチ動作機器。
【請求項１３】
前記電気的機能部は、外部に対して発光する照明用の発光部であり、前記スイッチの操作によってその発光部を発光させる請求項１１に記載の携帯型着脱式マルチ動作機器。
【請求項１４】
前記電気的機能部は、ラジオ放送を聞くためのラジオ受信機であり、前記電気的機能部は、そのラジオ受信機を作動させる回路であり、前記スイッチの操作によって前記ラジオ受信機がオン状態となると、前記ラジオ放送を聞くことが可能となっている請求項１１に記載の携帯型着脱式マルチ動作機器。
【請求項１５】
前記電気的機能部は、ブザー音発生装置であって、前記スイッチによってオン・オフされる駆動部を備える請求項１１のいずれか１項に記載の携帯型着脱式マルチ動作機器。
【請求項１６】
前記電気的機能部は、前記蓄電部の残量表示部と、その残量表示部を表示させるための電気回路部とを備えるものである請求項３，４，７のいずれか１項に記載の携帯型着脱式マルチ動作機器。
【請求項１７】
前記電気的機能部は、モータによって駆動されるヒゲソリ装置等の脱毛・除毛装置であり、前記スイッチの操作によって前記モータがオン・オフされるものである請求項１１のいずれか１項に記載の携帯型着脱式マルチ動作機器。
【請求項１８】
前記電気的機能部は、送風ファンとその送風ファンを駆動するモータとを含んで構成され、前記電気的機能部は、前記スイッチの操作によって、前記モータを駆動させる回路である請求項１１に記載の携帯型着脱式マルチ動作機器。
【請求項１９】
前記電気的機能部は、ＵＳＢ方式による充電用コネクタである請求項１ないし１１のいずれか１項に記載の携帯型着脱式マルチ動作機器。
【請求項２０】
前記電気的動作機器は、前記動作入力端子を複数備え、その動作入力端子の数に応じた複数の前記ボディとの接続が可能に構成される請求項１ないし１１のいずれか１項に記載の携帯型着脱式マルチ動作機器。
【請求項２１】
請求項１１に記載の前記ボディに加えて、
請求項１３に記載の電気的機能部を備える前記電気的動作機器と、
請求項１４に記載の電気的機能部を備える前記電気的動作機器と、
請求項１５に記載の電気的機能部を備える前記電気的動作機器と、を少なくとも備える携帯型着脱式マルチ動作機器。
【請求項２２】
一方の側には、前記ボディ側の給電部に対して着脱可能に接続されるボディ側端子が設けられ、他方の側には、携帯電話機の充電端子部に着脱可能に接続される電話機側端子が設けられた携帯電話機用コネクタを備え、
携帯電話機の充電池が消耗したときには、前記電気的動作機器を取り外し、前記ボディ側端子を前記携帯電話機用コネクタを介して前記携帯電話機に接続して、前記電源部からの給電によって前記充電池を充電する請求項１ないし２１のいずれか１項に記載の携帯型着脱式マルチ動作機器。
【請求項２３】
前記電気的動作機器は機能の異なる複数種が用意され、それらのうちのいずれかの電気的動作機器を選択して前記ボディに装着することにより、互いに異なる前記電気的機能部の動作を行わせる請求項１ないし２２のいずれか１項に記載の携帯型着脱式マルチ動作機器。
【請求項２４】
前記電気的動作機器は、前記ボディのキャップとして機能しており、前記ボディ側の給電部を被って保護している請求項１ないし２３のいずれか１項に記載の携帯型着脱式マルチ動作機器。
【請求項２５】
前記ボディと前記電気的動作機器とを接続状態としたときの全長が、少なくとも２０ｃｍ以下で形成される請求項１ないし２４のいずれか１項に記載の携帯型着脱式マルチ動作機器。
【請求項２６】
前記ボディには、ストラップを取り付けるための溝部が設けられる請求項１ないし２５のいずれか１項に記載の携帯型着脱式マルチ動作機器。
【発明の詳細な説明】
【技術分野】
【０００１】
本発明は、主に携帯電話機の充電池を充電するためなどに使用可能な携帯型充電器の利用範囲を拡大する携帯型着脱式マルチ動作機器に関する。
【背景技術】
【０００２】
従来、例えば携帯電話機の蓄電池を充電するための電源として、乾電池を利用するものがあり、また最近では、引用文献１に示すような太陽電池を用いたソーラー式充電器を利用するものがあるが、これらは一つの目的だけに対応するものである。
【０００３】
【特許文献１】特開２００１−３２７０９８号公報
【発明の開示】
【発明が解決しようとする課題】
【０００４】
上記のような携帯電話機用のソーラー式充電器は、携帯電話機の充電のみしか行うことはできず、その他の応用や利用については想定されていない。このような充電器の場合、震災時などの電気が通っていない状況において、例え充電器が充電されていたとしても、その電気を他に使用することができなかった。
【０００５】
本発明は、携帯電話の充電池への充電以外にも機能を備え、その機能に対しても蓄電部や乾電池等に蓄えられた電気を利用することができる携帯型着脱式マルチ動作機器を提供するものである。
【課題を解決するための手段および発明の効果】
【０００６】
上記課題を解決するために、本発明の携帯型着脱式マルチ動作機器は、
手のひらサイズの携帯可能なボディと、
該ボディに内蔵された電源部と、
該ボディに設けられて前記電源部から電気を出力するためのボディ側の給電部と、
このボディ側の給電部に着脱可能に接続される動作入力端子と、この動作入力端子によって前記電源部から給電されて機能する電気的機能部とを備え、前記ボディに対して着脱可能な電気的動作機器と、を備え、
前記電気的動作機器は機能の異なる複数種が用意され、それらのうちのいずれかの電気的動作機器を選択して前記ボディに装着することにより、互いに異なる前記電気的機能部の動作を行わせるとともに、
前記電気的動作機器の動作入力端子と前記ボディ側の給電部とが電気的に接続された状態となるように、前記電気的動作機器の一つが前記ボディに装着されることで、その電気的動作機器側の前記電気的機能部が動作可能状態になることを特徴とする。
【０００７】
上記構成によれば、電気的動作機器はボディに対して着脱可能であるため、異なる機能を実行する電気的機能部を備えた他の電気的動作機器との付け変えが可能である。従って、様々な機能の電気的動作機器をオプションとして用意しておくことで、それらの中から目的に応じた機能の電気的動作機器を選択することができるため、多機能・多目的なマルチ動作機器として利用できる。また、ハンディ型であるため、これらの機能を常に持ち歩くことができ、必要なときにすぐにこれらの機能を利用することができる。複数の電気的動作機器を同時に所持していれば、その中から必要な機能を選択することができ、使用用途が広がる。
【０００８】
また、上記構成の携帯型着脱式マルチ動作機器では、前記電源部は、前記一次電池で構成されており、前記ボディにはこの一次電池の着脱機構が備えられるものであってもよい。この構成によれば、乾電池（一次電池）を電源として電気的動作機器を動作させることができる。乾電池は既に広く普及しているため、例え乾電池の電力が不足した場合であっても、特別な状況下を除けば、これを入手することは比較的容易である。
【０００９】
また、本発明の携帯型着脱式マルチ動作機器前記電源部は、外部からの電力供給、またはボディに設けられた発電部の発電等によって電気を蓄える蓄電部として構成されるものであってもよい。この構成によれば、電源部は、外部からの充電や内部発電等によって充電可能な蓄電部として構成され、新たな電池を購入することなく電力の補充ができる。なお、蓄電部として、二次電池を利用するものであってもよい。二次電池であれば、電力が不足した場合に、一次電池のように新たに電池を購入して電力を補うことができるとともに、外部の充電器によって電力を補充することも可能となる。
【００１０】
また、本発明の携帯型着脱式マルチ動作機器前記電源部は、前記電源部は、前記ボディに設けられた発電用ソーラーパネルと、この発電用ソーラーパネルで発電された電気を蓄える蓄電部とによって構成することもできる。その一例として、例えば、手のひらサイズの携帯可能なボディと、該ボディに設けられたソーラー発電用のソーラーパネルと、該ボディに内蔵され、前記ソーラーパネルで発電された電気を蓄える蓄電部と、前記ボディの端部に設けられ、前記蓄電部から電力を出力するための出力端子と、前記ボディの前記蓄電部から給電される電気を電源とする電気的機能部と、前記蓄電部に蓄えられた電気を前記電気的機能部に給電するために前記ボディ側の給電部と着脱可能に接続される動作入力端子とを有する電気的動作機器と、を備え、前記電気的動作機器の動作入力端子と前記ボディ側の給電部とが電気的に接続された状態となるように前記電気的動作機器が前記ボディに装着されることで、その電気的動作機器側の前記電気的機能部が動作可能状態になることを特徴として構成することができる。また、前記電気的動作機器として前記電気的機能部の異なる複数種の電気的動作機器を用意し、それらのうちのいずれかの電気的動作機器を選択して前記ボディに装着することにより、互いに異なる電気的機能部の動作を行わせることもできる。
【００１１】
上記構成をなす携帯型着脱式マルチ動作機器は、電気的機能部に通電する電気として、ソーラーパネルで発電した電気をそのまま使用することが可能となるため、電池や外部電源等を必要としない。さらに、この充電器自体が蓄電池（充電池）であるから、太陽光又は明るい所にしばらくおけば、電源の確保や乾電池補充の心配がなく、太陽光（ソーラー）発電により無償で蓄電され、経済的であり、かつ環境を汚すこともない。災害時などの電力が供給されない状態にあっても電力を得られ、電気的動作機器の機能を使用することができる。また、ハンディ型の電池として常に持ち歩くことができ、例え１つの充電器の蓄電部が空となっても、その他にもう１つボディを持っていればそれをすぐに補うことができる。また、ソーラー式充電器として利用可能なだけでなく、充電器以外の他の機能を付加することができる。電気的動作機器は着脱可能なものであるため、異なる機能を実行する電気的機能部を備えた他の電気的動作機器との付け変えが可能である。この場合、様々な機能の電気的動作機器をオプションとして用意しておくことで、それらの中から目的に応じた機能の電気的動作機器を選択することが可能となり、多機能・多目的な充電器として利用できる。
【００１２】
また、本発明の携帯型着脱式マルチ動作機器では、上記例のように、前記ボディ側の給電部とは別に、電源部から電気を出力する出力端子を設けても良い。これにより、前記ボディ側給電部以外にも出力部を設けることができ、その出力端子を利用して外部の電気機器に対して通電が可能となる。
【００１３】
また、前記ボディの出力端子が、前記電気的動作機器の電気的機能部に対し前記蓄電部に蓄えられた電気を給電する前記給電部を兼ねて構成されていてもよい。これにより、電気的動作機器への給電部を別途設ける必要が無くなるため、ボディ全体をシンプルな構造とすることができ、製造コスト面や小型化に優れる。
【００１４】
また、本発明の携帯型着脱式マルチ動作機器では、前記電気的動作機器は、前記ボディのキャップとして機能しており、前記ボディ側の給電部を被って保護するように構成することができる。この構成では、前記電気的動作機器が前記ボディから取り外されると、そのボディ側の給電部が露出して接続すべき対象との電気的な接続、例えば電気的動作機器の動作入力端子や後述する携帯電話機用コネクタ等のコネクタの端子との電気的な接続が、その給電部を介して可能となり、一方、前記電気的動作機器が前記ボディに装着されると、その電気的動作機器は前記ボディのキャップとして機能して、前記ボディの端部に装着されて前記給電部を被って保護するとともに、同時にそのボディ側の前記給電部と電気的動作機器側の前記動作入力端子とが電気的に接続状態となり、前記電気的動作機器の前記電気的機能部が動作可能状態となる。つまり、電気的動作機器はキャップとして機能するパワーキャップとして構成することができ、その装着によってボディ側給電部をなす出力端子が被われて保護されるとともに、同時にその出力端子とパワーキャップの動作入力端子とを電気的接続状態とすることができる。これにより、出力端子を保護しつつ、その保護された状態で電気的動作機器の機能を使用することができる。
【００１５】
また、本発明の携帯型着脱式マルチ動作機器において、蓄電部を備えない形態の場合には、前記ボディは、外部直流電源又は外部交流電源に対して電気的に接続可能な電源入力部を備え、前記電源部は、その電源入力部から給電される電気を直接、もしくは前記前記ボディ側の給電部の適正電源に変換して前記ボディ側の給電部に給電することができる。また、蓄電部を備える場合には、前記ボディは、外部直流電源又は外部交流電源に対して電気的に接続可能な電源入力部を備え、その外部直流電源または外部交流電源とによって前記蓄電部の蓄電、並びに前記電気的機能部への通電が可能とすることができる。
【００１６】
上記構成によれば、外部直流電源や外部交流電源等の外部電源からの電力を電気的動作機器に通電することが可能となる。例えば、前記電源入力部は、ＤＣアダプター、車両のシガーライタ、あるいはＡＣアダプター等を使用することで外部直流電源や外部交流電源と接続可能であり、それらの外部電源によって、前記蓄電部の蓄電、後述する携帯電話機の充電池の充電、並びに前記電気的機能部への通電を可能とすることができる。蓄電部を備える場合であれば、これにより、蓄電部を充電したいときに外部の電源によってすばやく蓄電部の充電を行うことができ、さらに、早急に電気的動作機器の機能を使用したいときには、外部電源からの充電を行いながらにしてその充電される電力をそのまま電気的動作機器の動作に使用することができる。また、蓄電部を備えない場合には、ボディの電源部に電池等の電源がなくとも、外部電源を利用して直ちに電気的動作機器の動作を実行できる。
【００１７】
さらに、前記電源入力部は、前記外部交流電源と接続する交流電源入力部と前記外部直流電源と接続する直流電源入力部との双方を、同一の入力端子として形成されていてもよい。これにより、直流・交流の双方の電源から蓄電部への充電や電気的動作機器への通電が可能となるため、蓄電部への充電や電気的動作機器の動作を行う際の選択肢が増えて効率的である。
【００１８】
また、本発明の携帯型着脱式マルチ動作機器は、外部交流電源と接続可能な外部電源接続部と前記電源入力部と接続可能な電源出力部とを備える交流用アダプタを備えていてもよい。これにより、電気的動作機器の機能を蓄電部の充電や乾電池の有無に係らず、速やかに利用することができる。また、蓄電部を備えるものであれば、家庭用電源などによる高速充電が可能となる。
【００１９】
また、本発明の携帯型着脱式マルチ動作機器では、前記ボディ側の給電部は、前記ボディの端部から突出するピン状に形成され、他方、前記電気的動作機器の動作入力端子は前記給電部を受け入れるピン穴状に形成され、その電気的動作機器を前記ボディに装着する際に、ピン状の前記給電部がピン穴状の前記動作入力端子に挿入されて両者が電気的に接続状態となるように構成することもできる。
【００２０】
また、本発明の携帯型着脱式マルチ動作機器では、前記電気的動作機器は、前記ボディへの装着状態において前記ボディ側の給電部から前記動作入力端子を経て前記電気的機能部に至る電気回路の通電・非通電を切り換えるスイッチを備えることができる。パワーキャップ装着時に、その装着をトリガーとして直ちに電気的動作機器の機能が動作するのではなく、スイッチによるオン・オフ可能とすることで、電気的動作機器を単純に出力端子を保護するキャップとして使用することも可能となる。
【００２１】
また、本発明の携帯型着脱式マルチ動作機器では、一方の側には、前記ボディ側の給電部に対して着脱可能に接続されるボディ側端子が設けられ、他方の側には、携帯電話機の充電端子部に着脱可能に接続される電話機側端子が設けられた携帯電話機用コネクタを備えることができ、携帯電話機の充電池が消耗したときには、前記電気的動作機器を取り外し、前記ボディ側端子を前記携帯電話機用コネクタを介して前記携帯電話機に接続して、前記電源部からの給電によって前記充電池を充電することを可能としてもよく、例えば蓄電部を備えて構成されているものであれば、前記蓄電部に蓄えられた電気によって前記充電池を充電することも可能となる。これにより、この携帯型着脱式マルチ動作機器を携帯電話機の充電を主目的とすることができる。また、この携帯電話機の充電機能を実現しつつ、パワーキャップをなす電気的動作機器によってさらなる追加機能を実現できる。つまり、携帯電話機の充電とを含む少なくとも２つの機能を実現可能とすることが可能となる。
【００２２】
また、本発明の携帯型着脱式マルチ動作機器では、前記電気的機能部は、一方の側に前記動作入力端子を備え、他方の側に携帯電話機の充電端子部に着脱可能に接続される電話機側端子が設けられた携帯電話機用コネクタ部として形成され、前記携帯電話機の充電池が消耗したときには、その電気的動作機器を取り付け、前記ボディ側端子をその携帯電話機用コネクタ部を介して前記携帯電話機に接続して、前記電源部からの給電によって前記充電池を充電することもでき、キャップとなり得る電気的動作機器に、上記の携帯電話機用コネクタの機能を与えることも可能である。
【００２３】
さらに、本発明の携帯型着脱式マルチ動作機器では、上記のパワーキャップ等の電気的動作機器は、前記電気的動作機器は、前記動作入力端子を複数備え、その動作入力端子の数に応じた複数の前記ボディとの接続が可能に構成され、複数の前記ボディの蓄電部から同時に通電を受けることを可能とするものでもよい。携帯型充電器の欠点としてその充電量の少なさがあり、通常のものであれば、蓄電部に蓄えられた電気が無くなれば再度充電されるまでに時間がかかり、電気的動作機器への通電や充電の一切ができない。ところが、上記のような電気的動作機器を備えることで、複数のボディの蓄電部から電気を電気的動作機器に供給することができるため、大容量・長時間の通電にも耐えることができる。また、ボディ１つあたりの出力電圧を考慮して電気的動作機器に必要な数の動作入力端子を設けることで、電気的動作機器は、その電力仕様に基づく電力の供給を受けることが可能となる。
【００２４】
本発明の携帯型着脱式マルチ動作機器では、前記電気的機能部は、前記蓄電部の残量表示部と、その残量表示部を表示させるための電気回路部とを備えるものであってもよい。蓄電部の残量表示機能はボディに設けてもよい。この場合、前記ボディは、前記蓄電部の残量表示部と、その残量表示部を表示させるための電気回路部とを備えて構成することができる。これにより、蓄電部の残量を確認しながら使用することができる。
【００２５】
本発明の携帯型着脱式マルチ動作機器では、前記電気的機能部は、外部に対して発光する照明用の発光部であり、前記スイッチの操作によってその発光部を発光させるものでもよい。これにより、暗所での作業や、緊急時の臨時の照明としても利用できるため、利便性が高い。また、点滅機能を設けることで、他者への報知手段としても利用できる。
【００２６】
本発明の携帯型着脱式マルチ動作機器では、前記電気的機能部は、ラジオ放送を聞くためのラジオ受信機であり、前記電気的機能部は、そのラジオ受信機を作動させる回路であり、前記スイッチの操作によって前記ラジオ受信機がオン状態となると、前記ラジオ放送を聞くことが可能とすることもできる。携帯可能であるため、どのようなときにでもラジオ放送を聴くことができる。
【００２７】
本発明の携帯型着脱式マルチ動作機器では、前記電気的機能部は、ブザー音発生装置であって、前記スイッチによってオン・オフされる駆動部を備えるものであってもよい。緊急時に使用する携帯用警報装置として使用することができる。
【００２８】
本発明の携帯型着脱式マルチ動作機器では、前記電気的機能部は、送風ファンとその送風ファンを駆動するモータとを含んで構成され、前記電気的機能部は、前記スイッチの操作によって前記モータを駆動させる回路であってもよい。携帯可能であるため、屋外において暑さを感じるようなときにすぐに使用することができ、また、ソーラー式充電タイプであれば、太陽光で充電しながらにして使用することができる。
【００２９】
本発明の携帯型着脱式マルチ動作機器では、前記電気的機能部は、モータによって駆動されるヒゲソリ装置等の脱毛・除毛装置であり、前記スイッチの操作によって前記モータがオン・オフされるものであってもよい。携帯可能であるため屋外への持ち運びが容易で、また、ソーラー式充電タイプであれば、太陽光で充電しながらにして使用することができる。
【００３０】
本発明の携帯型着脱式マルチ動作機器では、前記電気的機能部は、電動歯ブラシの歯ブラシ部とそれを駆動させる駆動部とを含んで構成され、前記駆動部は前記スイッチによってオン・オフされるものであってもよい。携帯可能であるため屋外への持ち運びが容易で、また、ソーラー式充電タイプであれば、太陽光で充電しながらにして使用することができる。
【００３１】
本発明の携帯型着脱式マルチ動作機器では、前記電気的機能部は、水晶発信回路を備えるデジタル時計であってもよい。
【００３２】
本発明の携帯型着脱式マルチ動作機器では、前記電気的機能部は、血圧測定装置と、その血圧測定装置を作動させる電気回路部とを含むものであってもよい。
【００３３】
本発明の携帯型着脱式マルチ動作機器では、前記電気的機能部は、モータによって駆動される電動卓上クリーナーの駆動部であり、前記スイッチの操作により前記モータがオン・オフされるものであってもよい。
【００３４】
本発明の携帯型着脱式マルチ動作機器では、前記電気的機能部は、ＵＳＢ（Universal Serial Bus）方式による充電用コネクタであってもよい。
【００３５】
本発明の携帯型着脱式マルチ動作機器では、前記電気的機能部は、トランシーバー装置であって、無線通信のための駆動部を備えるものであってもよい。
【００３６】
本発明の携帯型着脱式マルチ動作機器では、前記電気的機能部は、リモコン装置であり、リモコン操作の信号を出力するための電気回路部を備えるものであってもよい。
【００３７】
本発明の、出力端子（ソケット等）に接続する、着脱式の電気的動作機器は、上記のような様々な機能の電気的機能商品として付加することができる。例えば、小型扇風機、ラジオ、髭剃り装置、脱毛・除毛装置、照明装置（ライト）、アラーム付デジタル時計、電池残量表示装置、電動歯ブラシ、血圧測定装置、電動卓上クリーナー、ＵＳＢ電源供給、防犯ブザー、リモコン、トランシーバー、ソーラーカー、おもちゃ、キャラクターグッズ等、音が出る、動く、光るといった所定の動作（状態変化も含む）を実行する電気的機能部を備えさせることができ、それらの機能を実現可能な本発明の本体（ボディ）と一体に装着した一体型機器として利用することができる。また、これらの着脱式電気的動作機器を複数所有することで、目的に応じた機能の着脱式電気動作機器を選択的に選び取ることができ、本発明本体（ボディ）を多目的に使用することができる。
【００３８】
また、本発明の携帯型着脱式マルチ動作機器は、上記構成を有するとともに、前記電気的機能部が外部に対して発光する照明用の発光部である電気的動作機器と、前記電気的機能部がラジオ放送を聞くためのラジオ受信機である電気的動作機器と、警報音等を発生するブザー音発生装置である電気的動作機器との３種を、少なくとも備えるようなセット商品であってもよい。本発明の携帯型着脱式マルチ動作機器は、既に述べたように、前記電気的動作機器として前記電気的機能部の異なる複数種の電気的動作機器が用意され、それらのうちのいずれかの電気的動作機器を選択して前記ボディに装着することにより、互いに異なる電気的機能部の動作を行わせるものであってもよく、その組み合わせは任意に行うことができる。その組み合わせとして、上記のような照明用発光部、ラジオ受信機、ブザー音発生装置を備える電気的動作機器を少なくとも備えるとすることで、緊急時・災害時において、例えば電力の供給がストップした状態等において、自身を守るための効果的な役割を果たすことが可能となる。
【００３９】
また、この組み合わせに、上記の携帯電話機用コネクタを加えてもよい。これにより、災害時の電力が供給されない時において携帯電話機による通話が可能となる。また、外部交流電源と接続可能な外部電源接続部と前記電源入力部と接続可能な電源出力部とを備える交流用アダプタを加えてもよい。これにより、電気的動作機器の機能をすぐに使用したいような緊急時において、蓄電部の急速な充電が可能となる。また、前記蓄電部の残量表示部を設けた電気的動作機器を加えてもよい。なお、残量表示部はボディに設けてもよい。これにより、電力が供給されないようなときに蓄電量を確認しながら効率的に使用することができる。このように本発明の携帯型着脱式マルチ動作機器は、このような緊急・災害時において有効な電気的動作機器やコネクタ、アダプタ等を組み合わせて備える安心対策セットとすることができる。また、本発明の携帯型着脱式マルチ動作機器は、携帯可能なコンパクトなサイズであるため常に身近に置いておくことができるため、緊急時・災害時にあっても、必要とされる様々な機能を直ちに利用することができる。また、ソーラー充電タイプのものであれば、電力が供給されない状況においても電気を補充することもでき、災害時などの電力供給がストップした状況において有効となる。
【００４０】
なお、本発明の携帯型着脱式マルチ動作機器においては、前記ボディと前記電気的動作機器とを接続状態としたときの全長が、少なくとも２０ｃｍ以下で形成されることが望ましい。これにより、手のひらサイズのコンパクトな形状となるため、携帯しやすく、持ち運びが容易となる。
【発明を実施するための最良の形態】
【００４１】
本発明の携帯型着脱式マルチ動作機器は、ハンディタイプの携帯可能なソーラー式充電器とすることができ、この場合、外部の電気的動作機器と接続してその充電を行うことができるとともに、外部の電気的機能部に対して電力を供給する電源として機能することができる。例えば、携帯電話機等の電気的動作機器（例えば、ゲーム機やＭＰプレーヤ等）への充電・補助電源としても活用できる。
【００４２】
以下、本発明の携帯型着脱式マルチ動作機器の一実施例である携帯型マルチソーラー充電器について説明を行う。この充電器は、内部に蓄電部（二次電池）を備え、その蓄電部に蓄電された電力を出力する本体部（以下、ボディと言う）と、その本体部に組み付けられて、所定機能を実現するための電気的機能部を備える着脱式（アタッチメント式）の電気動作機器とを主として構成される。
【００４３】
また、そのボディ内部の蓄電部は、ソーラーによる蓄電だけでなく、外部電源からの蓄電、例えば外部直流電源からの蓄電、外部交流電源からの蓄電が可能に構成される。そして、このボディには、電気動作機器を電気的に接続可能に組み付けることができ、上記蓄電部を電源としてその電気動作機器を動作（本発明で言う動作とは、通電による状態変化等も含む）させることができる。つまり、ボディと電気動作機器とが一体型をなす電気的動作グッズとすることができるのである。このとき、その電気的動作機器とボディとの接続については、主に２種類の接続形態が存在し、１つはボディの給電部に対して直接的に接続する方法、もう１つはケーブルコネクタ等のコネクタを接続し、これを介して接続する方法である。前者の場合、ボディに接続される電気的動作機器を、ボディの電源出力部として設けられた給電部をなす充電出力端子（以下、出力端子という）を保護するキャップとしても構成することができる。この場合、ボディに対するキャップである電気的動作機器をアタッチメント式に装着することが可能となるため容易な装着ができるとともに、端子（出力端子）を保護しながらにして、電気的動作機器の動作を実行することが可能となる。また、後者の場合は、外部動作機器の電源入力部のアタッチメントを保護するために直接の装着を避ける形態となり、ケーブルで本体の給電部と接続し、ニーズに合わせた多目的な利用が可能となる。以下、このような構成をなす本実施例の携帯型マルチソーラー充電器の一実施例を図面を用いて説明する。
【００４４】
図１は本発明の実施例である携帯型マルチソーラー充電器におけるボディ１００の外観を示すものであり、同図の（ａ）はその背面図、（ｂ）はその正面図、（ｃ）は右側面図、（ｄ）は平面図（上面図）、（ｅ）は底面図である。このボディ１００は、断面が略長方形をなすような形状をして、全体が略直方体形状に形成されている。底側の角部にはアールが形成されて、その部分のボディ１００の表面は滑らかな曲面をなしている。また、このボディ１００は、正面中央部にソーラーパネル５を備え、上部に図２に示すコネクタ（携帯電話機用コネクタ）１０と接続するためのピン状の出力端子２を備え、底部に図４に示すＡＣアダプタ２０やＤＣアダプタ２１と接続するためのピン穴状の電源入力端子（電源入力部）３を備える。さらに、ボディ１００の上側左右には凹部４が形成され、その角部の立面には後述するパワーキャップをなす電気的動作機器を組み付けるための爪部４ａが外側に向けて突出して形成されている。また、ストラップを取り付ける溝部９が側面から底面に掛けての曲面部分に形成されている。
【００４５】
出力端子２は、ボディ１００内の蓄電部であるＮｉＭＨ充電池ＢＴ１（図７参照）に蓄電されている電気を外部に出力するためのオス型のピンジャックＰ２（図７参照）であり、パワーキャップ等の電気的動作機器の電気的機能部やその他の電気的動作機器の電気的機能部等への給電部として構成されている。例えば、図２に示すような携帯電話機用コネクタ１０を介して図３に示すように携帯電話機５００に接続して、ボディ内部のＮｉＭＨ充電池ＢＴ１によって携帯電話機の充電池（図示なし）を充電することもできる。また、図２０のような外部の電気的動作機器であるゲーム機等に対しても同様の形態で接続することが可能であり、この場合、電気的動作機器用コネクタ３０を介して接続する、あるいは電気的動作機器が備える動作入力端子７００ａと直接接続することができる。
【００４６】
携帯電話機用コネクタ１０は、図２に示すように、一方側にボディ１００の出力端子２に対して着脱可能に接続されるボディ側端子１０ａを備え、他方側に携帯電話機５００の充電端子部５００ａ（図３参照）に着脱可能に接続される電話機側端子１０ｂを備える。また、図２の（ａ），（ｂ）に示すように、携帯電話機用コネクタ１０の内部には、所定長さのコード１０ｃが引き出し可能に収納されており、その先端にボディ側端子１０ａを備える。所定の長さを有するこのコード１０ｃはたわむので、ボディ１００と携帯電話機用コネクタ１０とをコード１０ｃが届く範囲内において接続した状態で自由に移動することができる。また、図２の（ｃ）に示すように、電話機側端子１０ｂを備える電話機側端子部１１を装着部１０ｄに対して着脱可能とし、異なる機種に対応する電話機側端子１０ｃを備える電話機側端子部１２との取り替えを可能としてもよい。これにより、携帯電話機用コネクタ１０は、複数機種の携帯電話機に対応可能となる。なお、この携帯電話機用コネクタ１０は、コネクタとしてではなく、後述するパワーキャップとして形成されてもよい。この場合、出力端子２を保護するキャップ機能が得られる。
【００４７】
なお、出力端子２は、この携帯電話機用コネクタ１０や後述するパワーキャップの動作入力端子２０２以外にも接続可能であり、この出力端子２に対して接続可能な規格の端子を有するものであれば、それらへの通電・充電を行うことができる。例えば、図２０（ａ）の電気的動作機器用コネクタ３０等があり、このコネクタ３０の場合は、出力端子２に対して着脱可能に接続されるボディ側端子３０ａを有するボディ側端子部３０ｃと、電気的動作機器、この場合ゲーム機７００のピン穴状の動作入力端子７００ａに着脱可能に接続される電気的動作機器側端子３０ｂを有する電気的動作機器側端子部３０ｄと、コード部３０ｅとを備えて構成され、これにより、ボディ１００の充電池ＢＴ１からゲーム機への通電が可能となる。
【００４８】
電源入力端子（電源入力部）３は、図４に示すアダプタ２０，２１との接続を可能とするピン穴状のメス型のピンジャック（図７参照）である。図４の（ａ）のアダプタ２０は、家庭用の交流電源等と接続するための交流用（ＡＣ）アダプタである。このアダプタ２０は、アダプタ本体に設けられた電源プラグ（外部電源接続部）２０ａと、その本体から延びるコード２０ｄと、そのコード２０ｄの端部に設けられ、先端にボディ側端子２０ｂを有する端子部２０ｃとを備えている。また、図４の（ｂ）のアダプタ２１は、車両のシガーライタや外部直流電源等と接続するための直流用（ＤＣ）アダプタである。このアダプタ２１は、アダプタ本体に設けられ、シガーライタ等と接続するための接続用プラグ（外部電源接続部）２１ａと、その本体から延びるコード２１ｄと、コード２１ｄの端部に設けられ、先端にボディ側端子２１ｂを有する端子部２１ｃとを備える。電源入力端子３は、これらのボディ側端子２０ｂ、２１ｂと接続可能となっており、これらと接続することで外部電源から充電池ＢＴ１（図７参照）への直接的な充電が可能となっている。なお、電源入力端子３は、直流電源と交流電源のいずれに接続するものとしてもよい。また、直流・交流兼用の端子としてもよい。また、ＵＳＢ（Universal Serial Bus）ケーブルを介する外部電源からの充電も可能であり、この場合には、ＵＳＢケーブルとの接続を行うためのＵＳＢ専用のコネクタを組み付けて行う。
【００４９】
なお、図５の交流用アダプタ２０の場合は、図６の（ｂ）のようにボディ１００の電源入力端子３に接続して、図６（ａ）のように直接携帯電話機５００の充電端子部５００ａに接続して充電することも可能である。
【００５０】
ソーラーパネル５は、太陽光エネルギーを電気エネルギーに変換する光電変換部を有し、その光電変換部で得られる電気を、ボディ１００の内部に設けられた蓄電部（ＮｉＭＨ充電池ＢＴ１、図７参照）に蓄える。蓄えられた電気は出力端子２を介して出力され、本実施例の場合は３Ｖの電源供給がなされる。
【００５１】
ここで、上記構造を有するボディ１００の回路について図７を用いて説明をする。図７は本実施例の携帯型マルチソーラー充電器のボディ１００に設けられる回路の一例である。この回路は、ＤＣ／ＤＣコンバータＩＣ１、ショットキバリアダイオードＤ１〜４、チップ抵抗Ｒ１〜４、コンデンサＣ１〜４、インダクタＬ１，ヒューズＦ１等の素子を有して構成されている。ソーラー電源部ＳＯ１は、ボディ表面のソーラーパネル５と、その内部に設けられ、吸収した太陽光エネルギーを電気エネルギーに変換するための光電変換部とを含んで構成される。このソーラー電源部ＳＯ１で得られる電気は、ダイオードＤ２を介してＮｉＭＨ充電池ＢＴ１に充電される。また、このＮｉＭＨ充電池ＢＴ１は、外部電源と接続しているアダプタ２０（またはアダプタ２１）にピンジャックＰ１（電源入力端子３）を接続することで、その外部電源から直接充電を行うことも可能である。この場合、外部電源から供給される電気はピンジャックＰ１、ヒューズＦ１及びダイオードＤ１を介して二次電池であるＮｉＭＨ充電池ＢＴ１が充電される。また、ＤＣ／ＤＣコンバータＩＣ１は、ソーラー電源部ＳＯ１や外部電源からの入力電圧を受けると、その電圧を安定化された出力電圧まで昇圧して出力する。そして、その安定化された出力電圧が、ピンジャックＰ２（出力端子２）から外部へと出力される。これにより、ＮｉＭＨ充電池ＢＴ１から外部への安定した電力の供給が可能となっている。
【００５２】
このような携帯型マルチソーラー充電器のボディ１００の場合、出力端子２を露出させた状態としておくとその端子２が何かと物理的接触をして折れたり、傷がつく可能性がある。従って、未使用時等にはその端子２を覆うために、例えば、以下で示すようなキャップタイプで形成される電気的機能部（パワーキャップ）２１０，２２０，２３０，２４０，２５０，２６０，２７０，２８０，２９０等を組み付ける。これらのパワーキャップは、図１３に示すように、その下側端部の左右両側で下方向に突出する凸部２０４を有し、その凸部２０４の内側には、外側に向けて窪んだ穴部２０４ａが形成されている。これにより、パワーキャップがボディ１００に装着されると、ボディの凹部４とパワーキャップの凸部２０４とが係合し、同時にその凹部４の爪部４ａが凸部２０４の穴部２０４ａに挿入されるため、双方は強く固定された状態となる。また、これらのパワーキャップは、ボディ１００の出力端子２と接続するピン穴状の動作入力端子（メス型のピンジャックＰ３）２０２を備えている。パワーキャップがボディ１００に装着された状態となると、その動作入力端子２０２に出力端子２（オス型のピンジャック）が圧入されて、双方が接触した状態を維持して電気的接続状態となる。つまり、この出力端子２は、ボディ１００の蓄電部からこれらのパワーキャップの電気的機能部へ給電するための給電部の役割もかねて構成されている。なお、この動作入力端子２０２は、全ての種類のパワーキャップで同規格のものが設けられており、これにより、目的に応じて任意のパワーキャップを選択して組み付けることが可能となっている。なお、上記したボディ１００とパワーキャップとの接続形態は、パワーキャップとは異なる他の電気的動作機器との接続形態にも同様に適用されていてもよい。
【００５３】
このような構造を有するパワーキャップには様々な機能を実行するための電気的機能部が設けられる。また、これらのパワーキャップの電気的機能部は、通電されることで動作（ここでの動作とは通電による状態変化等も含む）するものとすることができ、その場合には、ボディ１００に装着されたときに、ボディの充電池ＢＴ１に蓄えられた電気が、出力端子２とそれと接触する動作入力端子２０２とを介してパワーキャップ内部に設けられた回路部等に通電されて、上記機能が実行される。以下、そのパワーキャップの実施例について説明を行う。
【００５４】
図８は、電気的機能部として小型の扇風機を備えるパワーキャップの実施例である。パワーキャップ２１０には、送風ファン２１１とその送風ファン２１１を駆動するファン駆動部２１２とが設けられる。駆動部２１２は、直流モータ２１０Ｍを内蔵しており、そのモータ２１０Ｍは、図１４に示す駆動回路によって駆動する。パワーキャップ表面にはスイッチ２１３（２１０ＳＷ）が設けられており、これをＯＮとすることでモータ２１０Ｍが駆動して送風ファン２１１が回転する。このようなパワーキャップを有することにより、暑い屋外においてこの扇風機機能を使用することができるとともに、そのとき屋外の太陽光を利用して使用しながら充電もできるため、電池残量を気にすることなく使用することができる。
【００５５】
図９は、電気的機能部として小型のラジオ受信機を備えるパワーキャップである。このパワーキャップ２２０は、例えば図１５に示すように、受信部であるアンテナ２２０ａと、周知のラジオ受信回路２２０ｂと、さらに制御用ＩＣ２２０Ａと、さらに音声出力部であるスピーカ部２２０ｃ（２２１）とを含んで構成することができる。パワーキャップ表面には、受信周波数決定手段２２０ｄ（２２２）やボリューム操作手段２２０ｅ（２２３）等の入力操作部が設けられており、これらの操作に基づいて、受信周波数や音量の決定ができる。なお、本実施例のラジオのＯＮ／ＯＦＦは、ボリューム操作手段をなす回転入力部２２３を最小とすることでＯＦＦ、それ以外とすることでＯＮとなるように制御用ＩＣ２２０Ａがその制御を行っている。このようなパワーキャップを有することにより、災害時などの電力が停止した状態にあっても、電池等を購入することなくラジオ放送を聴くことができる。
【００５６】
図１０は、電気的機能部として髭剃り装置を備えるパワーキャップである。このパワーキャップ２３０は、図１６に示すように、内部に駆動部をなす直流モータ２３０Ｍと、モータドライバ２３０ｂと、そのドライバの制御およびスイッチ２３３のＯＮ／ＯＦＦを制御する制御用ＩＣ２３０Ａとを備える周知のものである。モータ２３０Ｍの回転は、図示しないパワーキャップ２３０の内部でカム等によって他方向の回転運動や往復直進運動に変換され、それに基づいて回転刃や往復刃（図示なし）が稼動し、髭を剃ることができる。回転刃や往復刃（図示なし）は本体から取り外し可能なケース２３４の内部に設けられ、そのケースには回転刃や往復刃を覆う部分に網目状の金属部２３１が形成されている。ケース２３４は、ボタン２３２を押すことで取り外すことができる。なお、髭剃りに限らず、除毛・脱毛装置としてパワーキャップを構成することも可能である。このようなパワーキャップを有することにより、髭剃りの充電に有料の家庭用電源を使用する必要がなくなるとともに、電源のない屋外に持ち出したとしても太陽光で充電できるため、電池残量を気にすることなくいつでも使用することができる。
【００５７】
図１１は、電気的機能部として発光部を備え、照明として利用可能なパワーキャップである。このパワーキャップは、図１７に示すような回路によって構成することができ、発光部であるＬＥＤ２４０Ｌ（２４１）をスイッチ２４０ＳＷ（２４３）のＯＮ／ＯＦＦで発光・非発光状態を切り替えることができる。また、ただ発光させるだけでなく、点滅効果等の効果を付与することも可能である。なお、発光部には省電力高輝度ＬＥＤを用いることができる。この場合、例えばＬＥＤを複数個（例えば６個）備えて構成し、さらにスイッチ２４０ＳＷ（２４３）を、発光状態における明るさを二段階に切り替えることができるように構成して、一段階目で一部のＬＥＤが発光（例えば２個）し、二段階目で全てのＬＥＤが発光するように構成されていてもよい。このような照明機能を備えることにより、暗い場所での作業や、緊急時の臨時の照明としても利用できるため、利便性が高い。災害時などにおいても照明として使用することができるとともに、点滅機能を有するものとすることで、他者に対する報知手段として利用することもできる。また、上記のように、発光状態における明るさの異なる二段階に切り替える機能を備えることにより、より明るさが必要とされる場合や明るさよりも長時間の使用が要求される場合等、状況に応じた使い分けが可能となる。
【００５８】
図２６は、電気的機能部としてブザー音発生装置として構成され、警報音等を発生する報知手段として利用可能なパワーキャップである。このパワーキャップは、図２７に示すような回路によって構成することができ、図２６のスイッチ２７１を押すことで、スイッチ部２７０ａ（２７２）がＯＮとなり、ブザー音発生部２７０ｂに電源供給がされて、ブザー２２０ｃが駆動して、音声出力部２７０ｄ（スピーカー２７１）から所定の音、例えば１２０ｄＢ以上の警報音等が発生する。なお、スイッチ２７１は押しボタン式に形成されていてもよいが、差し込みピンとそのピンを挿脱できる差込部とからなるスイッチとして構成され、ピンが抜かれたときをＯＮ、ピンが挿入されるときをＯＦＦとなるように構成されていてもよい。このパワーキャップ２７０をボディ１００に装着して携帯することで、予期せぬ緊急事態において他者に助けを求めるための報知手段として使用することができる。
【００５９】
図２８は、電気的機能部として電動歯ブラシを備えるパワーキャップの実施例である。パワーキャップ２８０には、歯ブラシ部２８１と、歯ブラシ部２８１に所定の振動を与える駆動部２８３とが設けられる。駆動部２８３は、直流モータ２８０Ｍを内蔵しており、そのモータ２８０Ｍは、図２９に示す駆動回路によって駆動する。パワーキャップ表面にはスイッチ２８２（２８０ＳＷ）が設けられており、これをＯＮとすることでモータ２８０Ｍが駆動する。そのモータ２８０Ｍの回転運動は、運動変換機構２８０ａによって所定の運動に変換されて歯ブラシ部２８１に伝達され、歯ブラシ部２８１は所定の動作を実行する。このようなパワーキャップを有することにより、充電に有料の家庭用電源を使用する必要がなくなるとともに、電源のない屋外に持ち出したとしても太陽光で充電できるため、電池残量を気にすることなくいつでも使用することができる。
【００６０】
また、電気的機能部として、パワーキャップに蓄電部の残量表示部を設けることもできる。この場合も、残量表示部やその制御回路等に対して、ボディ１００の充電池ＢＴ１から通電を行う。この場合、パワーキャップ装着時にのみ電池残量を表示することができ、非装着時には表示によって電力を生じることはない。このときの表示方法としては、表示画面に３段階または４段階、さらに多数の段階に分けて充電量を段階的に表示することができる。具体的には、３原色を利用したＬＥＤ等の色分け等で、例えば緑のときは充電量７０％以上、黄色のときは３０％〜７０％、赤のときは３０％未満とする等によって行ったり、表示画面に表示された棒の数で充電量を示すことができる。
【００６１】
また、上記で述べた以外にも、パワーキャップには他の機能を実行する電気的機能部を設けることが可能である。例えば、パワーキャップにデジタル時計の機能を付加することができる。この場合、液晶などのデジタル時計の表示部やその制御回路、水晶発信回路等に対して、ボディ１００の充電池ＢＴ１からこれらの回路等に通電を行う。また、パワーキャップに血圧測定機能を付加することもできる。この場合も、血圧測定回路やその制御部、さらに測定結果表示部等に対して、充電池ＢＴ１から通電を行う。また、パワーキャップにトランシーバー機能を付加することもでき、そのトランシーバー装置における無線通信のための各種回路や出力部等に対して、ボディ１００の充電池ＢＴ１からパワーキャップの電源回路を介して通電を行い、稼動させることができる。また、パワーキャップに電動卓上クリーナー等を設けることもできる。この場合も、それぞれの駆動部（モータ等）や駆動回路に対して、ボディ１００の充電池ＢＴ１から通電を行う。また、これらの機能をスイッチのＯＮ・ＯＦＦで実行するように構成することも可能である。
【００６２】
また、パワーキャップにＵＳＢ（Universal Serial Bus）方式による充電・通電用のコネクタ部を設けることもできる。ＵＳＢ方式による通電・充電を可能とすれば、幅広い機器に対する通電・充電が可能となる。この場合も、図３０に示すように、ＵＳＢコネクタ部２９２に対して、ボディ１００の充電池ＢＴ１から通電がコード部２９１を介して行われ、そのＵＳＢコネクタ部２９２のコネクタ端子２９３からの通電が可能となる。なお、ＵＳＢコネクタ部２９２における出力電圧を変更する場合には、キャップ本体２９４に電圧変換用の回路を設け、これを介してＵＳＢコネクタ部２９２に通電を行う。
【００６３】
また、電池による充電が一般的であるリモコン装置の機能を、このパワーキャップに付加することで、電池不要のリモコンを形成することができる。この場合も、リモコンの制御部等に通電するために、ボディ１００の充電池ＢＴ１から通電を行う。また、特にパワーキャップ機能を必要としないような場合には、単純にキャップ機能のみを有するものとすることもでき、この場合には、例えば図１２に示すように、キャップ２５０にキャラクターの形状を設ける等、特徴的な意匠を有するキャップ形状を形成することで意匠性を増すこともできる。これは他に機能を有するものに対しても適用することができる。
【００６４】
また、これらのパワーキャップ等の電気的動作機器の機能は必ずしも１電気的動作機器に対して１機能とする必要はなく、必要であれば、上記のような機能を複数備えさせてもよい。さらに、これらの電気的動作機器の電気的機能部には、それぞれの機能に対してさらに高度な機能が付与されていてもよい。
【００６５】
また、１つのボディによる通電だけでは電力が不足するような場合には、複数のボディによって１つの電気的動作機器の電気的機能部への通電を行ってもよい。この場合、携帯型マルチソーラー充電器のボディ１００を並列或いは直列に接続して行う。並列で行う場合には、例えば図１８に示すように、パワーキャップに複数の動作入力端子２０２（同図の場合は２つであるが、２以上であってもよい）を設けて、任意の数のボディ１００を接続する。これにより、出力端子２からの出力は、３Ｖ＋３Ｖで、計６Ｖの電力供給が可能となり、適用対象となるパワーキャップ機能の種類を増すことができ、さらに数を増やせばその出力をさらに上げることもできる。また、充電池ＢＴ１の蓄電量が不足しているような場合には、図１９に示すように、外部電源に接続した状態のアダプタ２０，２１等をボディ１００に接続した状態でボディ１００にパワーキャップを装着し、電源からの直接の電力供給によってパワーキャップの機能を使用してもよい。この場合、電源入力端子３と動作入力端子２０２とを同じ規格の端子とし、その双方のいずれに対しても出力端子２を接続可能とする必要がある。
【００６６】
また、キャップタイプとは異なる電気的動作機器と複数のボディ１００とを接続する場合には、例えば図２０（ｂ）に示すように、複数のボディ１００の出力端子２と接続可能でコネクタ部として機能するパワーキャップ２６０（同図の場合、２つのボディと接続するパワーキャップ）を用いて、外部の電気的動作機器７００との接続を行なってもよい。この場合、パワーキャップ２６０には、動作入力端子２０２が２つ設けられ、それらを統合する形で出力するための出力部をなす出力端子（電気的動作機器側出力端子）２６０ａが設けられる。この出力端子２６０ａに対して、例えば上記のケーブル式コネクタ３０を接続し、これを介して外部の電気的動作機器７００と接続することができる。これにより、２つの充電池から供給される電気によって外部の電気的動作機器７００を動作可能状態とすることができる。
【００６７】
また、本実施例の携帯型マルチソーラー充電器は、様々な種類のパワーキャップと接続可能であり、そのため利用者は複数のパワーキャップを携帯し、必要に応じて選択的に利用することができる。上記のような機能を有するパワーキャップの中でも、照明機能、ラジオ機能、ブザー音発生機能を備えるパワーキャップを一つのセットとすることで、緊急・災害時対策用のセット商品とすることができる。災害時などでは、電力の供給がストップするために、本実施例のようなソーラータイプの充電器はその威力を発揮するが、そうした際に必要とされる機能として、暗所での作業用に用いたり危険表示等の報知手段として用いることができる照明機能や、情報収集のためのラジオ等があり、これらをセットとすることで緊急・災害時対策用の商品となる。さらに、このような時には充電器の残量が気になるため、充電池（蓄電部）の残量表示機能を有するパワーキャップ、あるいはボディがセットに含まれていると効果的である。また、すばやく充電するための急速充電・補助充電用のＡＣアダプタ等がこのセットに含まれていれば、すばやく充電して電力の使えないところへ持ち運ぶことができるため効果的である。また、単純にキャップとしてのみ機能するものも含まれていても良く、これにより未使用時の端子の保護が可能となる。また、携帯電話機用コネクタ１０を含んでもよい。さらに、上記目的とは異なり、携帯電話機の充電用のセットとして、携帯電話機用コネクタ１０とボディ１００とをセット商品とすることもできる。
【００６８】
なお、上記のように複数のパワーキャップを備えるセットとする場合は、所定の目的に応じてパワーキャップを組み合わせることができる。例えば、アウトドアセットとして、ラジオ機能付パワーキャップ２２０（図９）照明用パワーキャップ２４０（図１１）、ブザー機能付パワーキャップ２７０（図２６）等を組み合わせることができる。扇風機機能付パワーキャップ２１０（図８）を加えてもよい。また、出張用・旅行用セットとして、髭剃り機能付パワーキャップ２３０（図１０）、電動歯ブラシ機能付パワーキャップ２８０（図２８）、携帯電話機用充電コネクタ１０（図２）等を組み合わせることができる。交流用アダプタ２０（図４）を加えてもよい。このように目的に応じたセット商品とすることで、利用者は個々の目的に応じてこれらのセット商品を選択することができる。なお、上記以外の目的で組み合わされたセットであってもよい。また、上記したパワーキャップとは異なる機能のパワーキャップをセットに加えてもよい。
【００６９】
セットとする場合には、図３３の（ａ）に示すように、セットとなる全てのパーツを収納可能なケース９００等に収納可能とすることができる。同図のケース９００の場合、上部の手掛け部９０１と、ケースのフレーム部９０２と、そのフレーム内に充填される保護材９０３と、保護材９０３を被い、フレーム部９０２と接触するように構成される図示されない蓋部とを備えて構成される。保護材には、所定箇所に、ボディ１００、各種パワーキャップ、コネクタ、電話機側端子部、アダプタ等を圧入して嵌め込むことができるように窪んだパーツ装着部が形成され、図３３の（ａ）の場合は、ボディ１００の装着部１００´、パワーキャップの装着部２００´、携帯電話機用コネクタ１０の装着部１０´、携帯電話機用コネクタの電話機側端子部の装着部１１´、１２´、交流用アダプタ２０の装着部２０´が形成されている。図３３の（ｂ）は、装着部に必要なパーツを装着した状態を示している。なお、ボディ１００には、出力端子２を保護のための簡易キャップ２９９が組み付けられている。このようにケースに収納されていることで、複数のパワーキャップやコネクタ・アダプタを備えていても持ち運びが容易となる。商品として販売する際にも、購入者に対しそのセットに含まれるパーツを示しやすい。
【００７０】
また、本実施例の携帯型マルチソーラー充電器は、複数のパワーキャップを手近なところに携帯しておくことで、それらの機能を速やかに利用することが可能となる。この場合、何らかの形でこれらのパワーキャップ全てをボディ１００に組み付け、携帯可能な状態となっていることが望ましい。本実施例においては、ボディ１００にストラップを取り付ける溝部９が形成されているため、さらにパワーキャップにもこの溝と同様の溝部を設けることで、ストラップによって、ボディとパワーキャップとの双方を組み付けることが可能となる。また、ストラップにより、ボディに対して複数のパワーキャップが組み付けることもでき、必要なパワーキャップを全て持ち歩くことを可能となる。このようにボディに全てのパワーキャップを組み付けることで、これらのキャップの紛失を防ぐことができ、また、使用したいときにすぐに必要なパワーキャップを探し当てることが可能となる。図２１は、パワーキャップ２２０（図９），２４０（図１１），２４０´を、ストラップを介してボディ１００に組み付けた状態の一例を示すものである。同図では、パワーキャップ２２０，２４０，２４０´に溝部２２９，２４９，２４９´が設けられ、そのそれぞれの溝部２２９，２４９，２４９´にストラップ２２９ａ，２４９ａ，２４９ａ´が組み付けられている。他方、ボディ１００の溝部９には、先端に止め具９ｂを備えるストラップ９ａが組み付けられており、その止め具に９ｂにストラップ２２９ａ，２４９ａ，２４９ａ´がまとめて組み付けられている。なお、パワーキャップ２４９はＬＥＤを備える照明機能付のキャップであり、パワーキャップ２４９´は同じくＬＥＤを備える照明機能付のキャップであるが、こちらは点滅機能が備えられて報知手段として使用されるキャップである。これらのパワーキャップ２２０，２４０，２４０´は、災害用のセットとしてストラップにまとめて組み付けられている。なお、他の機能のパワーキャップも組み付けられることは言うまでもない。
【００７１】
なお、本実施例における出力端子２、電源入力端子３、動作入力端子２０２等、その他コネクタやアダプタの端子部分は同一形状・同一規格のもので形成されることが好ましいが、その形状等は本実施例のようなピン型・ピン穴型のものに限られるものではなく、他形状の端子を用いてもよい。例えば、一般的な丸型端子や平型端子を用いてもよい。丸型の端子あれば、例えばボディ１１０の出力端子２ａ（図２２参照）やコネクタやアダプタ等のオス型の端子部を、円筒状をなして外部に突出する円筒状端子部とその円筒状端子部内部に設けられたピン端子部とからなるオス型端子とし、ボディの電源入力端子やキャップの動作入力端子２０２ａ（図２３参照）、コネクタやアダプタ等のメス型の端子部を、その円筒状端子部を外側から被うようにして受け入れるような形状の端子挿入用の穴部の中心に、オス型端子の円筒状端子部とピン端子部との双方に接触するように円筒状に設けられるメス型端子として形成し、それら双方の端子を接続する際には、オス型端子の円筒状端子部の内側表面とメス型端子の外側表面とが接触し、かつオス型端子のピン端子部とメス型端子の内側表面とが接触することで両端子が電気的接続状態となるように構成することができる。また、オス型の端子部を、円筒状のオス型端子とし、メス型の端子部を、その円筒状端子を外側から被うように受け入れるような形状の穴型端子部と、その穴型端子部の中心で前記円筒状端子の内部に挿入されるピン端子部とからなるメス型端子として形成し、円筒状のオス型端子の外側表面とメス型端子の穴型端子部とが接触し、かつ円筒状のオス型端子の内側表面とメス型端子のピン端子部とが接触することで、両端子が電気的接続状態となるように構成することもできる。
【００７２】
以上、本発明の携帯型着脱式マルチ動作機器として、携帯型マルチソーラー充電器を例に説明を行った。ただし、本発明の携帯型着脱式マルチ動作機器は、上記実施例に限られるものではない。本発明の携帯型着脱式マルチ動作機器では、蓄電部は、上記実施例のような太陽光（ソーラー）発電による充電形態を必ずしも必要とするものではなく、ＡＣアダプタ、ＤＣアダプタ、シガーライタ等を用いて外部電源から充電を行う充電形態や、その他の充電形態を採用する構成であってもよい。
【００７３】
また、本発明の携帯型着脱式マルチ動作機器のボディは、必ずしも蓄電部を必要とするものではなく、少なくとも上記パワーキャップ等の外部の電気的動作機器やコネクタ等に対して電気的に接続可能で、その電気的動作機器を動作させるための電力供給が可能であればよい。このような構成であっても、本発明の携帯型着脱式マルチ動作機器は、コネクタ１０による携帯電話の充電池の充電や、各種パワーキャップの電気的機能部に電気を給電が可能であり、それぞれの機能を利用することができる。また、様々な機能のパワーキャップをオプションとして用意しておくことで、それらの中から目的に応じた機能のパワーキャップを選択することが可能となり、多機能・多目的なマルチ動作機器として利用できる。
【００７４】
図２４は、上記実施例とは異なるボディを有する携帯型着脱式マルチ動作機器の一実施例である。なお、上記実施例と同じ構成部分に関しては同じ符号を付することでその説明を省略する。この図に示す携帯型着脱式マルチ動作機器のボディ１２０は、ソーラーパネル５等を含むソーラー発電部に替わって、一次電池や二次電池等の電池５０を装着する電池ケース５１を備える。その他の構成は、上記実施例と同様であり、出力端子２、電源入力端子３、凹部４、爪部４ａ、溝部９を備えて構成される。このボディ１２０は、電気的動作機器２１０，２２０，２３０，２４０，２５０，２６０，２７０，２８０，２９０等の複数種のパワーキャップや、携帯電話機用コネクタ１０や電気的動作機器用コネクタ３０等を装着可能に構成され、装着されたときには、双方がその出力端子２を介して電気的接続状態となって、上記のパワーキャップやコネクタに対して、電池５０に蓄えられた電力が供給される。これにより、上記実施例と同様に、装着されたパワーキャップに対して所定の動作を実行させたり、コネクタ１０，３０等を介して接続される外部の電気的動作機器に対して充電や電源供給を行うことができる。ただし、本実施例のボディ１２０には、一次電池や二次電池（蓄電池）に対する充電機能は存在しないため、電池の残量がなくなった際には新たな電池を補充する必要がある。現在、乾電池（一次電池）等は広く市場で販売されており、これらの調達は比較的容易であるため、電力が供給されない状況下においても新しい電池さえ調達することができれば、電気的動作部を動作させることができる。また、二次電池であれば専用の充電器により電力の補充が可能である。
【００７５】
また、上記実施例と同様に、本実施例のボディ１２０には、電源入力端子３を介して、図４に示すようなＡＣアダプタ、ＤＣアダプタ、シガーライタ等と接続することができ、電池５０が未装着状態であっても。これらのアダプタを介して外部から電源の供給を受けて、これを出力端子から出力可能に構成することができる。これにより、電池がない状態であっても、例えば家庭用交流電源などの外部電源を用いて、出力端子２から電気的動作機器やコネクタへの電力の供給が可能となる。
【００７６】
図２５は、上記実施例とはさらに異なるボディを有する携帯型着脱式マルチ動作機器の実施例である。なお、上記実施例と同じ構成部分に関しては同じ符号を付することでその説明を省略する。この図に示す携帯型着脱式マルチ動作機器のボディ１３０は、出力端子２、電源入力端子６０、凹部４、爪部４ａ、溝部９を備えて構成され、ソーラーパネル５や電池５０等を備えない。ただし、電源入力端子６０は、外部直流電源や外部交流電源等の外部電源と直接接続可能な外部電源接続部として形成されており、本実施例においては家庭用交流電源と直接接続することが可能な電源プラグとして形成されている。このボディ１３０も、パワーキャップ２１０，２２０，２３０，２４０，２５０，２６０，２７０，２８０，２９０等の複数種のパワーキャップや、携帯電話機用コネクタ１０や電気的動作機器用コネクタ３０等を装着可能に構成される。また、内部には周知の出力電圧変換回路を備える。パワーキャップがボディに装着されたときには、双方がその出力端子２を介して電気的接続状態となって、上記のパワーキャップやコネクタに対して上記のような外部電源から、直接、または前記前記ボディ側の給電部の適正電源（本実施例の場合３Ｖ）に変換して電力が供給される。これにより、上記実施例のように、装着されたパワーキャップに対して所定の動作を実行させたり、コネクタ１０，３０等を介して接続される外部の電気的動作機器に対して充電や電源供給を行うことができる。
【００７７】
なお、これらの実施例におけるボディや、電気的動作機器・コネクタ等に設けられる端子形状は、図２４、図２５に記載された形状に限られるものではなく、例えば、図２２や図２３の出力端子２ａや動作出力端子２０２ａのような形状としたり、それらとは異なる他の形状とすることもできる。ただし、それらの端子の規格は、上記実施例と同様に統一されていることが望ましい。
【００７８】
また、本発明の携帯型着脱式マルチ動作機器のうち、蓄電部を備えるボディには、図３１に示すような、蓄電部の充電状態を表示するための残量表示部を設けてもよい。同図の場合、ボディ１００の側面上部に残量表示部の表示部７４が配置され、３種の発光部（ＬＥＤ）７４ａ，７４ｂ，７４ｃの点滅状態によって蓄電部の充電状態が表示される。図３２は、その残量表示部７０の構成を示す機能ブロック図の一例である。スイッチ部７３がＯＮとなることで、蓄電部をなす充電池ＢＴ１と電圧検出部７１とが導通し、電圧検出部７１は充電池ＢＴ１からの出力電圧を検出する。検出された出力電圧は検知信号として残量検知部７２に入力される。充電池ＢＴ１からの出力電圧は、充電池ＢＴ１の使用とともに減少するため、本実施例においては、残量検知部７２は、電圧検出部７１が検出する出力電圧を、予め定められた２つの基準電圧値によって高出力状態、中出力状態、低出力状態の３段階のいずれの状態であるかを判定し、それらの３状態に対応する発光部７４ａ，７４ｂ，７４ｃを発光させる。なお、残量表示部の表示方法は、上記方法に限られるものではなく、他の手法を用いてもよい。
【００７９】
また、本発明の携帯型着脱式マルチ動作機器は、パワーキャップをボディに取り付けた際の全長Ｌ（図１８参照）が少なくとも２０ｃｍ以下で形成されるハンディタイプ型のものである。これにより、全体がコンパクトで持ち運びに便利となっている。なお、その全長は１５ｃｍ以下であることがより望ましく、更に言えば、１３．１ｃｍ以下であることがより望ましい。これらのサイズとすることで、手で持ちやすいサイズ、いわゆる手のひらサイズとすることができ、持ち運びが容易となるだけでなく、使用者の操作も容易となる。
【００８０】
以上、本発明の実施例を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００８１】
【図１】本発明の携帯型着脱式マルチ動作機器のボディの一例を示す外観図。
【図２】図１に示すボディを携帯電話機に接続するためのコネクタの外観図。
【図３】本発明の携帯型着脱式マルチ動作機器による携帯電話機の充電状態を示す図。
【図４】本発明の携帯型着脱式マルチ動作機器のボディに接続されるアダプタの外観図。
【図５】本発明の携帯型着脱式マルチ動作機器による携帯電話機の充電状態で、図３とは異なる状態を示す図。
【図６】アダプタによる充電を説明する説明図。
【図７】図１に示すボディの回路図。
【図８】本発明の携帯型着脱式マルチ動作機器のパワーキャップの第一の実施例を示す図。
【図９】本発明の携帯型着脱式マルチ動作機器のパワーキャップの第二の実施例を示す図。
【図１０】本発明の携帯型着脱式マルチ動作機器のパワーキャップの第三の実施例を示す図。
【図１１】本発明の携帯型着脱式マルチ動作機器のパワーキャップの第四の実施例を示す図。
【図１２】本発明の携帯型着脱式マルチ動作機器のパワーキャップの第五の実施例を示す図。
【図１３】本発明の携帯型着脱式マルチ動作機器のボディとパワーキャップの組付けを説明する説明図。
【図１４】図８に示すパワーキャップの回路図。
【図１５】図９に示すパワーキャップの回路図。
【図１６】図１０に示すパワーキャップの回路図。
【図１７】図１１に示すパワーキャップの回路図。
【図１８】本発明の携帯型着脱式マルチ動作機器のボディの並列接続を説明する説明図。
【図１９】本発明のパワーキャップ機能の使用の一例を示す図。
【図２０】本発明のパワーキャップ機能の使用の一例を示す図。
【図２１】ボディに複数のパワーキャップを組み付けた場合の一例を示す図。
【図２２】本発明の携帯型着脱式マルチ動作機器の出力端子の異なる実施形態を示す図。
【図２３】本発明の携帯型着脱式マルチ動作機器の動作入力端子の異なる実施形態を示す図。
【図２４】電池の装着が可能な本発明の携帯型着脱式マルチ動作機器のボディの一実施例を示す図。
【図２５】本発明の携帯型着脱式マルチ動作機器のボディの第二の実施例を示す図。
【図２６】本発明の携帯型着脱式マルチ動作機器のパワーキャップの第六の実施例を示す図。
【図２７】図２６に示すパワーキャップの回路図。
【図２８】本発明の携帯型着脱式マルチ動作機器のパワーキャップの第七の実施例を示す図。
【図２９】図２８に示すパワーキャップの回路図。
【図３０】本発明の携帯型着脱式マルチ動作機器のパワーキャップの第八の実施例を示す図。
【図３１】本発明の携帯型着脱式マルチ動作機器のボディの第三の実施例を示す図。
【図３２】ボディの残量表示部の機能ブロック図。
【図３３】本発明の携帯型着脱式マルチ動作機器をケースに収納した状態を示す図。
【符号の説明】
【００８２】
１  携帯型着脱式マルチ動作機器
２  出力端子
３  電源入力端子（電源入力部）
４  凹部
４ａ  爪部
５  ソーラーパネル
１０  携帯電話機用コネクタ
２０  交流電源用アダプタ
２１  直流電源用アダプタ
１００、１１０，１２０，１３０  ボディ
２０２  動作入力端子
２０４  凸部
２０４ａ  穴部
２１０  小型扇風機付パワーキャップ
２２０  ラジオ受信機付パワーキャップ
２３０  髭剃り付パワーキャップ
２４０  ライト付パワーキャップ
２６０  ２ボディ接続用パワーキャップ
２７０  ブザー音発生装置付パワーキャップ
２８０  電動歯ブラシ付パワーキャップ
２１３，２２３，２３３，２４３，２７２，２８２    スイッチ
５００  携帯電話機
９００  ケース
【図１】
2006204079.tif 000003
【図２】
2006204079.tif 000004
【図３】
2006204079.tif 000005
【図４】
2006204079.tif 000006
【図５】
2006204079.tif 000007
【図６】
2006204079.tif 000008
【図７】
2006204079.tif 000009
【図８】
2006204079.tif 000010
【図９】
2006204079.tif 000011
【図１０】
2006204079.tif 000012
【図１１】
2006204079.tif 000013
【図１２】
2006204079.tif 000014
【図１３】
2006204079.tif 000015
【図１４】
2006204079.tif 000016
【図１５】
2006204079.tif 000017
【図１６】
2006204079.tif 000018
【図１７】
2006204079.tif 000019
【図１８】
2006204079.tif 000020
【図１９】
2006204079.tif 000021
【図２０】
2006204079.tif 000022
【図２１】
2006204079.tif 000023
【図２２】
2006204079.tif 000024
【図２３】
2006204079.tif 000025
【図２４】
2006204079.tif 000026
【図２５】
2006204079.tif 000027
【図２６】
2006204079.tif 000028
【図２７】
2006204079.tif 000029
【図２８】
2006204079.tif 000030
【図２９】
2006204079.tif 000031
【図３０】
2006204079.tif 000032
【図３１】
2006204079.tif 000033
【図３２】
2006204079.tif 000034
【図３３】
2006204079.tif 000035
【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
長方形状の断面を有する縦長の直方体形状に構成され、その主表面中央を長手方向に被う形態で配置された発電用ソーラーパネルと、前記発電用ソーラーパネルで発電されて電気を蓄える内蔵の蓄電部とを有する電源部とを備え、自身の長手方向先端に形成された給電部から前記電源部からの電気が出力される一方、前記長手方向の後端に形成された直流電源入力部にて外部直流電源に対し電気的接続可能とされ、その外部直流電源による前記蓄電部の蓄電並びに該外部直流電源からの前記給電部への給電も可能とされた手のひらサイズの携帯可能なボディと、
前記ボディの先端面に着脱可能に装着され、該装着状態にて前記給電部に接続される動作入力端子と、自身の先端面に電気的機能部としての照明用発光部が取り付けられ、前記動作入力端子によって前記電源部から給電されることにより前記照明用発光部のＬＥＤから照明光を出力するとともに、前記装着状態にて前記給電部を含む前記ボディの先端面を被って保護するキャップに兼用された電気的動作機器をなす照明用のパワーキャップと、
前記照明用パワーキャップと交換可能なパワーキャップであって、前記ボディの先端に着脱可能に装着され、該装着状態にて前記給電部に接続される動作入力端子と、前記ボディへの装着状態にて前記動作入力端子によって前記電源部から給電される電気的機能部として、ラジオ受信機又はブザー音発生装置を備え、前記装着状態にて前記給電部を含む前記ボディの先端面を保護するキャップに兼用された電気的動作機器をなす交換用のパワーキャップと、
前記ボディ側の給電部に対して着脱可能に接続されるボディ側端子と、携帯電話機の充電端子部に着脱可能に接続される電話機側端子とが設けられた携帯電話機用コネクタと、
前記ボディの直流電源入力部に着脱可能に接続され、外部交流電源の交流電源電圧を直流電源電圧に変換して該直流電源入力部に供給する交流用アダプタと、
前記ボディと、前記パワーキャップと、前記携帯電話機用コネクタと、前記交流用アダプタとを含むセット用の全てのパーツを収納可能なケースと、
を備えたことを特徴とする緊急・災害時対策用携帯型着脱式マルチ動作機器セット。
【請求項２】
前記照明用のパワーキャップは、前記照明光を点滅出力可能に構成される請求項１記載の緊急・災害時対策用携帯型着脱式マルチ動作機器セット。
【請求項３】
前記携帯電話機用コネクタの前記電話機側端子は、異なる機種の携帯電話機の充電端子部に着脱可能に接続される電話機側端子と交換可能である請求項１又は請求項２記載の緊急・災害時対策用携帯型着脱式マルチ動作機器セット。
【請求項４】
前記ボディには、前記蓄電部の残量表示部と、その残量表示部を表示させるための電気回路部とを備える請求項１ないし３のいずれか１項に記載の緊急・災害時対策用携帯型着脱式マルチ動作機器セット。
【手続補正３】
【補正対象書類名】明細書
【補正対象項目名】０００５
【補正方法】変更
【補正の内容】
【０００５】
本発明は、携帯電話の充電池への充電以外にも機能を備え、その機能に対しても蓄電部や乾電池等に蓄えられた電気を利用することができる緊急・災害時対策用携帯型着脱式マルチ動作機器セットを提供するものである。
【手続補正４】
【補正対象書類名】明細書
【補正対象項目名】０００６
【補正方法】変更
【補正の内容】
【０００６】
上記課題を解決するために、本発明の緊急・災害時対策用携帯型着脱式マルチ動作機器セットは、
長方形状の断面を有する縦長の直方体形状に構成され、その主表面中央を長手方向に被う形態で配置された発電用ソーラーパネルと、前記発電用ソーラーパネルで発電されて電気を蓄える内蔵の蓄電部とを有する電源部とを備え、自身の長手方向先端に形成された給電部から前記電源部からの電気が出力される一方、前記長手方向の後端に形成され直流電源入力部にて外部直流電源に対し電気的接続可能とされ、その外部直流電源による前記蓄電部の蓄電並びに該外部直流電源からの前記給電部への給電も可能とされた手のひらサイズの携帯可能なボディと、
前記ボディの先端面に着脱可能に装着され、該装着状態にて前記給電部に接続される動作入力端子と、自身の先端面に電気的機能部としての照明用発光部が取り付けられ、前記動作入力端子によって前記電源部から給電されることにより前記照明用発光部のＬＥＤから照明光を出力するとともに、前記装着状態にて前記給電部を含む前記ボディの先端面を被って保護するキャップに兼用された電気的動作機器をなす照明用のパワーキャップと、
前記照明用パワーキャップと交換可能なパワーキャップであって、前記ボディの先端に着脱可能に装着され、該装着状態にて前記給電部に接続される動作入力端子と、前記ボディへの装着状態にて前記動作入力端子によって前記電源部から給電される電気的機能部として、ラジオ受信機又はブザー音発生装置を備え、前記装着状態にて前記給電部を含む前記ボディの先端面を保護するキャップに兼用された電気的動作機器をなす交換用のパワーキャップと、
前記ボディ側の給電部に対して着脱可能に接続されるボディ側端子と、携帯電話機の充電端子部に着脱可能に接続される電話機側端子とが設けられた携帯電話機用コネクタと、
前記ボディの直流電源入力部に着脱可能に接続され、外部交流電源の交流電源電圧を直流電源電圧に変換して該直流電源入力部に供給する交流用アダプタと、
前記ボディと、前記パワーキャップと、前記携帯電話機用コネクタと、前記交流用アダプタとを含むセット用の全てのパーツを収納可能なケースと、
を備えたことを特徴とする。
この緊急・災害時対策用携帯型着脱式マルチ動作機器セットにより、緊急時・災害時において、例えば電力の供給がストップした状態等において、自身を守るための効果的な役割を果たすことが可能となる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
また、本発明の携帯型着脱式マルチ動作機器前記電源部は、外部からの電力供給、またはボディに設けられた発電部の発電等によって電気を蓄える蓄電部として構成される。この構成によれば、電源部は、外部からの充電や内部発電等によって充電可能な蓄電部として構成され、新たな電池を購入することなく電力の補充ができる。なお、蓄電部として、二次電池を利用するものであってもよい。二次電池であれば、電力が不足した場合に、一次電池のように新たに電池を購入して電力を補うことができるとともに、外部の充電器によって電力を補充することも可能となる。
【手続補正７】
【補正対象書類名】明細書
【補正対象項目名】００１０
【補正方法】変更
【補正の内容】
【００１０】
また、本発明の携帯型着脱式マルチ動作機器前記電源部は、前記電源部は、前記ボディに設けられた発電用ソーラーパネルと、この発電用ソーラーパネルで発電された電気を蓄える蓄電部とによって構成される。その一例として、例えば、手のひらサイズの携帯可能なボディと、該ボディに設けられたソーラー発電用のソーラーパネルと、該ボディに内蔵され、前記ソーラーパネルで発電された電気を蓄える蓄電部と、前記ボディの端部に設けられ、前記蓄電部から電力を出力するための出力端子と、前記ボディの前記蓄電部から給電される電気を電源とする電気的機能部と、前記蓄電部に蓄えられた電気を前記電気的機能部に給電するために前記ボディ側の給電部と着脱可能に接続される動作入力端子とを有する電気的動作機器と、を備え、前記電気的動作機器の動作入力端子と前記ボディ側の給電部とが電気的に接続された状態となるように前記電気的動作機器が前記ボディに装着されることで、その電気的動作機器側の前記電気的機能部が動作可能状態になることを特徴として構成することができる。また、前記電気的動作機器として前記電気的機能部の異なる複数種の電気的動作機器を用意し、それらのうちのいずれかの電気的動作機器を選択して前記ボディに装着することにより、互いに異なる電気的機能部の動作を行わせることもできる。
【手続補正８】
【補正対象書類名】明細書
【補正対象項目名】００１４
【補正方法】変更
【補正の内容】
【００１４】
また、本発明の携帯型着脱式マルチ動作機器では、前記電気的動作機器は、前記ボディのキャップとして機能しており、前記ボディ側の給電部を被って保護するように構成される。この構成では、前記電気的動作機器が前記ボディから取り外されると、そのボディ側の給電部が露出して接続すべき対象との電気的な接続、例えば電気的動作機器の動作入力端子や後述する携帯電話機用コネクタ等のコネクタの端子との電気的な接続が、その給電部を介して可能となり、一方、前記電気的動作機器が前記ボディに装着されると、その電気的動作機器は前記ボディのキャップとして機能して、前記ボディの端部に装着されて前記給電部を被って保護するとともに、同時にそのボディ側の前記給電部と電気的動作機器側の前記動作入力端子とが電気的に接続状態となり、前記電気的動作機器の前記電気的機能部が動作可能状態となる。つまり、電気的動作機器はキャップとして機能するパワーキャップとして構成することができ、その装着によってボディ側給電部をなす出力端子が被われて保護されるとともに、同時にその出力端子とパワーキャップの動作入力端子とを電気的接続状態とすることができる。これにより、出力端子を保護しつつ、その保護された状態で電気的動作機器の機能を使用することができる。
【手続補正９】
【補正対象書類名】明細書
【補正対象項目名】００２１
【補正方法】変更
【補正の内容】
【００２１】
また、本発明の携帯型着脱式マルチ動作機器では、一方の側には、前記ボディ側の給電部に対して着脱可能に接続されるボディ側端子が設けられ、他方の側には、携帯電話機の充電端子部に着脱可能に接続される電話機側端子が設けられた携帯電話機用コネクタを備え、携帯電話機の充電池が消耗したときには、前記電気的動作機器を取り外し、前記ボディ側端子を前記携帯電話機用コネクタを介して前記携帯電話機に接続して、前記電源部からの給電によって前記充電池を充電することを可能としてもよく、前記蓄電部に蓄えられた電気によって前記充電池を充電することも可能となる。これにより、この携帯型着脱式マルチ動作機器を携帯電話機の充電を主目的とすることができる。また、携帯電話機の充電機能と、パワーキャップをなす電気的動作機器とが備えられることによって、少なくとも２つの機能を実現可能とすることが可能となる。
【手続補正１０】
【補正対象書類名】明細書
【補正対象項目名】００５２
【補正方法】変更
【補正の内容】
【００５２】
このような携帯型マルチソーラー充電器のボディ１００の場合、出力端子２を露出させた状態としておくとその端子２が何かと物理的接触をして折れたり、傷がつく可能性がある。従って、未使用時等にはその端子２を覆うために、例えば、以下で示すようなキャップタイプで形成される電気的動作機器（パワーキャップ）２１０，２２０，２３０，２４０，２５０，２６０，２７０，２８０，２９０等を組み付ける。これらのパワーキャップは、図１３に示すように、その下側端部の左右両側で下方向に突出する凸部２０４を有し、その凸部２０４の内側には、外側に向けて窪んだ穴部２０４ａが形成されている。これにより、パワーキャップがボディ１００に装着されると、ボディの凹部４とパワーキャップの凸部２０４とが係合し、同時にその凹部４の爪部４ａが凸部２０４の穴部２０４ａに挿入されるため、双方は強く固定された状態となる。また、これらのパワーキャップは、ボディ１００の出力端子２と接続するピン穴状の動作入力端子（メス型のピンジャックＰ３）２０２を備えている。パワーキャップがボディ１００に装着された状態となると、その動作入力端子２０２に出力端子２（オス型のピンジャック）が圧入されて、双方が接触した状態を維持して電気的接続状態となる。つまり、この出力端子２は、ボディ１００の蓄電部からこれらのパワーキャップの電気的機能部へ給電するための給電部の役割もかねて構成されている。なお、この動作入力端子２０２は、全ての種類のパワーキャップで同規格のものが設けられており、これにより、目的に応じて任意のパワーキャップを選択して組み付けることが可能となっている。なお、上記したボディ１００とパワーキャップとの接続形態は、パワーキャップとは異なる他の電気的動作機器との接続形態にも同様に適用されていてもよい。